(57)【要約】【課題】コンテンツに対して更新がしばしば生ずる場合に特有の情報記録再生システムを構築するには、オブジェクトプログラムチェーンをその都度構成し直す必要があり、更新ごとに製作者の負担が大きい。【解決手段】光記録媒体の再生専用領域に格納されたコンテンツの再生を実行する情報記録再生システムにおいて、光記録媒体の再生専用領域には複数のコンテンツが格納され、光記録媒体の記録可能領域にはコンテンツの更新に関わるコンテンツ更新情報が格納され、コンテンツ更新情報に従って、少なくとも一つのコンテンツを選択的に再生制御する情報記録再生システムを提供することで、コンテンツに対して更新がしばしば生ずる場合に、製作者の負担を減ずることが可能となる。【選択図】図１
2005216341.tif 000002
【特許請求の範囲】
【請求項１】
光記録媒体の再生専用領域に格納されたコンテンツの再生を実行する情報記録再生システムにおいて、上記光記録媒体の再生専用領域には複数のコンテンツが格納され、上記光記録媒体の記録可能領域にはコンテンツの更新に関わるコンテンツ更新情報が格納され、上記コンテンツ更新情報に従って、少なくとも一つのコンテンツを選択的に再生制御することを特徴とする情報記録再生システム。
【請求項２】
光記録媒体の再生専用領域に格納されたコンテンツ更新認証情報が格納されており、上記光記録媒体の記録可能領域に格納された上記コンテンツ更新情報と、上記コンテンツ更新認証情報とから、上記コンテンツ更新情報の有効性を判定する手段を具備し、有効なコンテンツ更新情報に従って、少なくとも一つのコンテンツを選択的に再生制御することを特徴とする請求項１に記載の情報記録再生システム。
【請求項３】
上記コンテンツ更新情報は上記光記録媒体の記録可能領域に分散して格納され、上記分散して格納されたコンテンツ更新情報が、コンテンツ更新情報間の関係性を示すアドレス情報を含むことを特徴とする請求項２に記載の情報記録再生システム。
【請求項４】
上記コンテンツ更新情報間の関係性を示すアドレス情報によって、上記コンテンツ更新情報の連鎖が形成されることを特徴とする請求項３に記載の情報記録再生システム。
【発明の詳細な説明】
【技術分野】
【０００１】
本発明は、光記録媒体の情報記録再生システムに関し、更に詳細には、光記録媒体に格納されたコンテンツの読み出しを制御する情報記録再生システムに関する。
【背景技術】
【０００２】
光記録媒体は、動画像データや音声データなどのデジタルデータを記録または再生することができる情報記録媒体として広く利用されている。特に、映画や音楽といったコンテンツを光記録媒体の再生専用領域に格納し、このコンテンツを再生するといった形態は、CD、CD-ROM、DVD−ROM等の再生装置の普及に伴い、一般的となっている。
【０００３】
こうした光記録媒体は近年の技術的進歩により、大容量化の傾向となっており、1枚の光記録媒体に、複数のコンテンツを格納することも可能となってきている。
【０００４】
複数のコンテンツを管理する技術としては、例えば特許文献１にて、１以上のオブジェクトのデータを格納するように構成されたデータエリアと、オブジェクトを管理する管理情報を格納するように構成された管理エリアを持つ情報媒体において、オブジェクトは、ＭＰＥＧエンコードされたビデオ情報を含むデータユニットから構成され、管理情報は、オブジェクトの再生方法を管理するオリジナルプログラムチェーン情報を持つように構成され、オリジナルプログラムチェーン情報が、１以上のプログラム情報および１以上のセル情報を含むように構成され、セル情報として、ビデオ情報のオブジェクトの再生を管理するムービーセル情報が定義され、ムービーセル情報が、オブジェクト内の再生箇所へのアクセスに用いられるエントリポイントに関するエントリポイント情報を含むように構成され、エントリポイント情報が、エントリポイントに関するテキスト情報を含むように構成され、ムービーセル情報が、ムービーセル一般情報を含み、このムービーセル一般情報が該当セルの開始時間情報および該当セルの終了時間情報を含むように構成され、開始時間情報は対応するオブジェクトの最初の４つのデータユニット内に格納され、終了時間情報は対応するオブジェクトの最後の４つのデータユニット内に格納されるように構成されたことを特徴とするデジタル情報媒体が開示されている。
【０００５】
【特許文献１】特許第３３７６３１４号公報
【発明の開示】
【発明が解決しようとする課題】
【０００６】
しかしながら、上記の従来技術ではコンテンツに対して更新がしばしば生ずる場合に特有の情報記録再生システムを構築するには、オブジェクトプログラムチェーンをその都度構成し直す必要があり、更新ごとに製作者の負担が大きい。
【０００７】
本発明は、コンテンツに対して更新がしばしば生ずる場合に、製作者の負担を減ずることが可能な、光記録媒体に格納されたコンテンツの読み出しを制御する情報記録再生システムを提供することを目的とする。
【課題を解決するための手段】
【０００８】
本発明の態様に従えば、光記録媒体の再生専用領域に格納されたコンテンツの再生を実行する情報記録再生システムにおいて、光記録媒体の再生専用領域には複数のコンテンツが格納され、光記録媒体の記録可能領域にはコンテンツの更新に関わるコンテンツ更新情報が格納され、コンテンツ更新情報に従って、少なくとも一つのコンテンツを選択的に再生制御することを特徴とする情報記録再生システムが提供される。
【０００９】
本発明の態様に従う情報記録再生システムにおいては、光記録媒体の再生専用領域に格納されたコンテンツ更新認証情報が格納されており、光記録媒体の記録可能領域に格納されたコンテンツ更新情報と、コンテンツ更新認証情報とから、コンテンツ更新情報の有効性を判定する手段を具備し、有効なコンテンツ更新情報に従って、少なくとも一つのコンテンツを選択的に再生制御する形態であることが好ましい。さらに、コンテンツ更新情報は光記録媒体の記録可能領域に分散して格納され、分散して格納されたコンテンツ更新情報が、コンテンツ更新情報間の関係性を示すアドレス情報を含むことが好ましい。このようにすることで、コンテンツ更新情報間の関係性を示すアドレス情報によって、コンテンツ更新情報の連鎖を形成することが可能となり、コンテンツ更新情報のデータ量を可変とでき、コンテンツ更新情報の設定の自由度が高まる。
【発明の効果】
【００１０】
本発明により、コンテンツに対して更新がしばしば生ずる場合に、製作者の負担を減ずることが可能な、光記録媒体に格納されたコンテンツの読み出しを制御する情報記録再生システムを提供できる。
【発明を実施するための最良の形態】
【００１１】
以下、本発明の情報記録再生システムの実施例について図面を参照しながら具体的に説明するが、本発明はこれに限定されるものではない。
【００１２】
図１に本発明の情報記録再生システムの構成図を示す。本発明の情報記録再生システムは、光記録媒体、光記録再生部、コンテンツ抽出部、コンテンツ更新情報設定部、コンテンツ更新情報認証部より構成される。光記録媒体のデータ領域は、再生専用領域と記録可能領域に分かれており、再生専用領域には、システム制御データと複数のコンテンツが、記録可能領域にはコンテンツ更新情報が格納される。図１において複数のコンテンツとしては、コンテンツ１、コンテンツ２、・・・、コンテンツｎが相当する。各コンテンツの前には、各コンテンツの再生許可を判定するためのコンテンツ再生許可ヘッダが付加されている。コンテンツ更新情報には、コンテンツを指定可能な情報が含まれており、かつ対応するコンテンツのデータから算出したコンテンツ更新認証情報も含まれている。光記録媒体のデータ領域のデータは、光記録再生部にて、データの記録及び再生を行う。但し、再生専用領域のデータは再生されるのみで書き換えはできない。再生専用領域のシステム制御データは、情報記録再生システム自体の安定した制御に用いるデータである。再生専用領域にある複数のコンテンツは、コンテンツ抽出部により選択的なコンテンツ再生を行うが、これはコンテンツ更新情報に基づく制御を行う。コンテンツ更新情報は、前述したように記録可能領域に位置しており、複数のコンテンツの中から特定のコンテンツのみアクセスを許可するための情報である。より具体的には、コンテンツ更新情報には複数のコンテンツの中でアクセスを許可するコンテンツのアドレス情報が含まれている。
【００１３】
コンテンツ更新のための認証は、図２に示すフローチャートに従って行う。すなわち、最初に、記録可能領域の所定アドレスに格納されているコンテンツ更新情報を読み出す。次に、読み出したコンテンツ更新情報を用いて、コンテンツ再生許可用ヘッダを算出する。この算出にあたっては、コンテンツ更新情報に対してあらかじめ設定した多項式で算出することで行う。ここで算出したコンテンツ再生許可用ヘッダと、再生専用領域に格納されている各コンテンツに付加されたコンテンツ再生許可用ヘッダとを比較し、一致する場合のみ、コンテンツ更新の認証が正当に行われたと判定する。算出したコンテンツ再生許可用ヘッダと、再生専用領域に格納されている各コンテンツに付加されたコンテンツ再生許可用ヘッダとが一致しない場合は、コンテンツ更新の認証が不当と判定され、コンテンツ更新は許可されないものとする。
【００１４】
コンテンツ更新の認証が正当と判定された場合、コンテンツは選択的に再生制御される。また、図１のコンテンツ更新情報の配置は連続して配置される形態だけでなく、光記録媒体の記録可能領域に分散して格納される形態でもよい。この場合、分散して格納されたコンテンツ更新情報が、コンテンツ更新情報間の関係性を示すアドレス情報を含むことによって、コンテンツ更新情報間の関係性を示すアドレス情報によって、コンテンツ更新情報の連鎖を形成し、コンテンツ更新情報のデータ量を可変とすることができる。
【００１５】
このようにコンテンツ更新情報を持つことにより、あらかじめ複数のコンテンツを用意しておいて、ディスクの再生専用領域に格納しておき、コンテンツ更新情報による再生制御する形態をとることができ、各コンテンツそのものに変更がなくとも複数のコンテンツの組み合わせることで、多くの種類の更新が可能となる。これは、コンテンツそのものは同じままで、細部の更新をしばしば生ずる場合に、製作者の負担を減ずることができる。
【図面の簡単な説明】
【００１６】
【図１】本発明における光記録媒体の構成を示す図である。
【図２】本発明におけるコンテンツ更新のための認証を示すフロー図である。
【図１】
2005216341.tif 000003
【図２】
2005216341.tif 000004